(57)【特許請求の範囲】
【請求項１】
コンバータと照明装置とを有する照明システムであって、
前記コンバータは、
交流電圧を直流電圧に変換する第１の変換部と、
前記第１の変換部が変換した前記直流電圧を、光量を示す調光信号に基づく電圧値の直流電圧に変換する第２の変換部と、
前記第２の変換部が変換した前記直流電圧を出力する第１の接続部と、を有し、
前記照明装置は、
前記第１の接続部と接続する第２の接続部と、
前記第２の接続部に印加される直流電圧の電圧値を測定し、前記測定した電圧値に基づいて制御信号を生成する測定部と、
前記測定部が生成した前記制御信号に基づいて、前記第２の接続部に印加される前記直流電圧を直流電流に変換する第３の変換部と、
前記第３の変換部が変換した前記直流電流によって発光する照明負荷と、を有し、
前記第２の変換部は、
直流電圧を補正する調整信号に基づいて、自身の抵抗を変化する可変抵抗と、
前記可変抵抗を入力端子に接続し、第３の制御電圧を出力する第２のオペアンプと、を備え、
前記第２の変換部は、前記第３の制御電圧に基づいて、前記第１の変換部が変換した前記直流電圧を変換し、
前記制御信号は、前記測定した電圧値が示す光量を前記照明負荷が発光するように前記第３の変換部を制御する、照明システム。
【請求項２】
コンバータと照明装置とを有する照明システムであって、
前記コンバータは、
交流電圧を直流電圧に変換する第１の変換部と、
前記第１の変換部が変換した前記直流電圧を、光量を示す調光信号に基づく電圧値の直流電圧に変換する第２の変換部と、
前記第２の変換部が変換した前記直流電圧を出力する第１の接続部と、を有し、
前記照明装置は、
前記第１の接続部と接続する第２の接続部と、
前記第２の接続部に印加される直流電圧の電圧値を測定し、前記測定した電圧値に基づいて制御信号を生成する測定部と、
前記測定部が生成した前記制御信号に基づいて、前記第２の接続部に印加される前記直流電圧を直流電流に変換する第３の変換部と、
前記第３の変換部が変換した前記直流電流によって発光する照明負荷と、
前記第２の接続部に印加される前記直流電圧を整流し、前記測定部及び前記第３の変換部へ出力する整流回路と、を有し、前記制御信号は、前記測定した電圧値が示す光量を前記照明負荷が発光するように前記第３の変換部を制御する、照明システム。
【請求項３】
前記第１の接続部は、ソケットである、
前記請求項２に記載の照明システム。
【発明の詳細な説明】
【技術分野】
【０００１】
本発明の実施形態は、照明システムに関する。
【背景技術】
【０００２】
照明システムは省エネや快適性、演出などを目的とし、調光制御や消灯制御を行うものである。その方式は用途に応じて様々の方式が存在する。例えばオフィスや店舗などの規模の大きな施設では電源電線と調光信号線が独立した４線式調光方式が多く採用されている。一方で白熱電球を取り付けること想定して設計されたものは位相制御により白熱電球に印加される電圧実効値を調整することにより調光を実現するものが主流である。この照明システムは電源電線２線で電力供給と調光制御が可能であるため、電源配線が簡素であることが特長である。
近年では、受電部に白熱電球と同様の口金を設けた電球型ＬＥＤランプ（Ｌｉｇｈｔ  ｅｍｉｔｔｉｎｇ  ｄｉｏｄｅ：ＬＥＤ）が普及しているが、既存の位相調光照明システムと組み合わせたとき、電気特性の差異に起因して白熱電球と同様に低光束域まで安定して動作することが難しい。また、既設の配線や配線器具を交換し、他の方式に変更することは容易ではないため、既設の配線設備を用いて、電球型ＬＥＤランプなどのＬＥＤ照明装置を白熱電球と同様に調光できるシステムが要望されている。
【先行技術文献】
【特許文献】
【０００３】
【特許文献１】特開２０１５−６５７７２号公報
【発明の概要】
【発明が解決しようとする課題】
【０００４】
上記の課題を解決するために、既設の位相調光の配線設備を活用して照明装置を調光できる照明システムを提供する。
【課題を解決するための手段】
【０００５】
実施形態によれば、照明システムは、コンバータと照明装置とを有する。前記コンバータは、第１の変換部と、第２の変換部と、第１の接続部と、を有する。第１の変換部は、交流電圧を直流電圧に変換する。第２の変換部は、前記第１変換部が変換した前記直流電圧を、光量を示す調光信号に基づく電圧値の直流電圧に変換する。第１の接続部は、前記第２の変換部が変換した前記直流電圧を出力する。前記照明装置は、第２の接続部と、測定部と、第３の変換部と、照明負荷と、を有する。第２の接続部は、前記第１の接続部と接続する。測定部は、前記第２の接続部に印加される直流電圧の電圧値を測定する。第３の変換部は、前記第２の接続部に印加される前記直流電圧を前記測定部が測定した電圧値に応じた直流電流に変換する。照明負荷は、前記第３の変換部が変換した前記直流電流によって発光する。
【発明の効果】
【０００６】
この発明によれば、既存の設備を活用して照明装置を調光できる照明システムを提供することができる。
【図面の簡単な説明】
【０００７】
【図１】図１は、第１実施形態に係る照明システムの構成例を示す図である。
【図２】図２は、第１実施形態に係るＡＣ／ＤＣコンバータの構成例を示す回路図である。
【図３】図３は、第１実施形態に係るＤＣ／ＤＣコンバータの構成例を示す回路図である。
【図４】図４は、第１実施形態に係る接点の構成例を示す図である。
【図５】図５は、第２実施形態に係る照明システムの構成例を示す図である。
【図６】図６は、第３実施形態に係る照明システムの構成例を示す図である。
【図７】図７は、第３実施形態に係るＡＣ／ＤＣコンバータの構成例を示す回路図である。
【図８】図８は、第４実施形態に係るＬＥＤ照明の構成例を示す図である。
【発明を実施するための形態】
【０００８】
以下、実施の形態について図面を参照して説明する。  
以下で説明する実施形態に係る照明システム１００、１００ａ、１００ｂ又は１００ｃは、コンバータと照明装置１０又は１０ｃとを有する。前記コンバータは、交流電圧を直流電圧に変換する第１の変換部と、前記第１変換部が変換した前記直流電圧を、光量を示す調光信号に基づく電圧値の直流電圧に変換する第２の変換部と、前記第２の変換部が変換した前記直流電圧を出力する第１の接続部と、を有し、前記照明装置１０は、前記第１の接続部と接続する第２の接続部と、前記第２の接続部に印加される直流電圧の電圧値を測定する測定部と、前記第２の接続部に印加される前記直流電圧を前記測定部が測定した電圧値に応じた直流電流に変換する第３の変換部と、前記第３の変換部が変換した前記直流電流によって発光する照明負荷４と、を有する。
【０００９】
以下で説明する実施形態に係る前記第３の変換部は、少なくとも１個以上の半導体スイッチと、前記測定部が測定した前記電圧値に基づいて、前記半導体スイッチをオン／オフ制御するドライブ回路３６と、を備え、前記半導体スイッチのオン／オフ動作によって、前記照明負荷に電流を供給する。
【００１０】
以下で説明する実施形態に係る前記照明システム１００、１００ａ、１００ｂ又は１００ｃは、前記電圧値に基づいて第３の変換部が照明負荷に出力する電流を決定するための第１の制御部を備え、前記ドライブ回路３６は、前記第１の制御部の出力に基づいて、前記半導体スイッチをオン／オフ制御する。
【００１１】
以下で説明する実施形態に係る前記第２の変換部は、直流電圧を補正する調整信号に基づいて、前記第１の変換部が変換した前記直流電圧を変換する。
【００１２】
以下で説明する実施形態に係る前記調整信号は、使用環境又は部品の個体差に伴う第３の変換部に入力される電圧のばらつきや変動に基づいて直流電圧を補正する。
【００１３】
以下で説明する実施形態に係る前記第２の変換部は、前記調整信号に基づいて、自身の抵抗を変化する可変抵抗と、前記可変抵抗を入力端子に接続し、第３の制御電圧を出力する第２のオペアンプと、を備え、前記第２の変換部は、前記第３の制御電圧に基づいて、前記第１変換部が変換した前記直流電圧を変換する。
【００１４】
以下で説明する実施形態に係る照明システム１００、１００ａ、１００ｂ又は１００ｃは、出力調整装置６を備える。出力調整装置６は、前記調整信号を出力する。
【００１５】
以下で説明する実施形態に係る照明システム１００、１００ａ、１００ｂ又は１００ｃは、整流回路７１を備える。整流回路７１は、前記第２の接続部に印加される前記直流電圧を整流し、前記測定部及び前記第３の変換部へ出力する。
【００１６】
以下で説明する実施形態に係る前記第１の接続部は、ソケットである。
以下で説明する実施形態に係る照明システム１００、１００ａ、１００ｂ又は１００ｃは、調光装置５を備える。調光装置５は、前記調光信号を出力する。
【００１７】
以下で説明する実施形態に係る前記照明負荷４は、ＬＥＤから構成される。
（第１実施形態）
図１は、第１実施形態に係る照明システム１００の構成例を示す図である。  
照明システム１００は、交流電源からの交流電圧を直流電圧に変換するＡＣ／ＤＣコンバータ２とＡＣ／ＤＣコンバータ２からの直流電圧を用いて照明負荷４を発光させる照明装置１０とを有するシステムである。照明装置１０は、入力する直流電圧を照明負荷４に供給すべき値の直流電流に変換し、照明負荷４に供給する。たとえば、照明負荷４は、発光ダイオード（ＬＥＤ）であり、照明装置１０は、ＬＥＤ電球又は蛍光灯形ＬＥＤランプなどである。また、照明システム１００は、調光装置５からの信号に基づいて照明負荷４を調光する機能を有する。
【００１８】
図１が示すように、照明システム１００は、交流電源１、ＡＣ／ＤＣコンバータ２、ＤＣ／ＤＣコンバータ３、照明負荷４及び調光装置５などを備える。ＡＣ／ＤＣコンバータ２とＤＣ／ＤＣコンバータ３とは、接点５１と接点５２とを接続し、接点５３と接点５４とを接続する。接点５１及び接点５３（第１の接続部）は、ＡＣ／ＤＣコンバータ２側の接続部である。また、接点５２及び接点５４（第２の接続部）は、ＤＣ／ＤＣコンバータ３側の接続部である。ＤＣ／ＤＣコンバータ３、照明負荷４、接点５２及び接点５４などは、照明装置１０を構成する。照明装置１０は、接点５１及び接点５３から取り外し可能である。
【００１９】
ここでは、ＡＣ／ＤＣコンバータ２が出力する直流電圧を直流電圧ＶＤＣとする。また、照明装置１０のＤＣ／ＤＣコンバータ３が出力する電圧（即ち、照明負荷４に印加される電圧）を直流電圧ＶＦとする。また、照明負荷４に流れる電流をＩＦとする。
【００２０】
交流電源１は、交流の電圧を供給する。たとえば、交流電源１は、商用電源である。たとえば、交流電源１は、１００Ｖであり、５０Ｈｚ又は６０Ｈｚである交流電圧を供給する。交流電源１は、交流電圧をＡＣ／ＤＣコンバータ２へ供給する。
【００２１】
ＡＣ／ＤＣコンバータ２は、交流電源１が供給する交流電圧を直流電圧（第１の直流電圧）に変換する。また、ＡＣ／ＤＣコンバータ２は、交流電圧から得られた直流電圧を、調光装置５が送信する調光信号（Ｄｉｍｍｅｒ  ｓｉｇｎａｌ）に基づいて設定する電圧値の直流電圧ＶＤＣ（第２の直流電圧）を出力する。即ち、ＡＣ／ＤＣコンバータ２は、調光信号に基づいた電圧値の直流電圧ＶＤＣを出力する。ＡＣ／ＤＣコンバータ２は、直流電圧ＶＤＣをＤＣ／ＤＣコンバータ３に印加する。
【００２２】
ＤＣ／ＤＣコンバータ３は、接点５２と接点５４との間の電圧ＶＤＣ（第２の直流電圧）の電圧値に基づいて出力する直流電流ＩＦの電流値を設定し、入力した直流電圧ＶＤＣを設定した電流値の直流電流ＩＦに変換する。言い換えると、ＤＣ／ＤＣコンバータ３は、接点５２と接点５４との間の電圧の電圧値に基づいて、設定された電流値ＩＦを出力する。ＤＣ／ＤＣコンバータ３は、照明負荷４に電気的に接続する。ＤＣ／ＤＣコンバータ３は、電流ＩＦを照明負荷４へ供給する。
【００２３】
照明負荷４は、供給される電流により発光する。ここでは、照明負荷４は、ＤＣ／ＤＣコンバータ３が印加する直流電圧ＶＤＣによって流れる電流ＩＦにより発光する。たとえば、照明負荷４は、供給される電流ＩＦにより発光する発光ダイオード（ＬＥＤ）である。また、照明負荷４は、複数のＬＥＤから構成されてもよい。
【００２４】
調光装置５は、照明負荷４が発光する光量を示す調光信号を出力する。例えば、操作者は、ダイヤルや入力ボタンなどにより調光する光量を指定する操作を行う。調光装置５は、操作者の操作により入力された入力量を取得する。調光装置５は、たとえば、操作者の操作が入力する入力量に応じた光量を示す調光信号を出力する。調光装置５は、ＡＣ／ＤＣコンバータ２と電気的に接続する。調光装置５は、調光信号をＡＣ／ＤＣコンバータ２へ送信する。  
電源線７は、例えば壁裏または天井裏等に配設されてＡＣ／ＤＣコンバータ２と接点５１及び接点５３（第１の接続部）とを接続する。
【００２５】
なお、照明システム１００は、適宜必要な要素を備えてもよい。
【００２６】
次に、ＡＣ／ＤＣコンバータ２について説明する。  
図２は、ＡＣ／ＤＣコンバータ２の構成例を示す回路図である。  
図２が示すように、ＡＣ／ＤＣコンバータ２は、整流回路１１、インダクタ１２、半導体スイッチ１３、ダイオード１４、コンデンサ１５、フォトカプラ受光素子１６、制御回路１７、半導体スイッチ１８、トランス１９、ダイオード２０、コンデンサ２１、フォトカプラ発光素子２２、オペアンプ２３（第２のオペアンプ）、直流可変電源２４、抵抗２５及び抵抗２６などを備える。
【００２７】
インダクタ１２、半導体スイッチ１３、ダイオード１４、及び、コンデンサ１５などは、ＰＦＣ２０１を構成する。また、整流回路１１及びＰＦＣ２０１などは、ＡＣ／ＤＣコンバータ２０２（第１の変換部）を構成する。また、フォトカプラ受光素子１６、制御回路１７、半導体スイッチ１８、トランス１９、ダイオード２０、コンデンサ２１、フォトカプラ発光素子２２、オペアンプ２３、直流可変電源２４、抵抗２５及び抵抗２６などは、ＤＣ／ＤＣコンバータ２０３（第２の変換部）を形成する。
【００２８】
半導体スイッチ１３及び半導体スイッチ１８は、たとえば、ｎＭＯＳ−ＦＥＴである。また、フォトカプラ受光素子１６及びフォトカプラ発光素子２２は、フォトカプラを構成する。フォトカプラ受光素子１６は、たとえば、フォトトランジスタである。フォトカプラ発光素子２２は、たとえば、ＬＥＤである。  
ＡＣ／ＤＣコンバータ２０２は、交流電源１が出力する交流電圧を所定の電圧値の直流電圧に変換する。また、ＤＣ／ＤＣコンバータ２０３は、調光信号に基づいて、ＡＣ／ＤＣコンバータ２０２が出力する直流電圧を直流電圧ＶＤＣに変換する。
【００２９】
整流回路１１は、交流電源１に接続する。整流回路１１の電流が流れ出す側の端子は、インダクタ１２の一端に接続する。整流回路１１の電流が流れ込む側の端子は、半導体スイッチ１３のソースに接続する。インダクタ１２の他端は、半導体スイッチ１３のドレインに接続する。また、インダクタ１２の他端及び半導体スイッチ１３のドレインは、ダイオード１４のアノードに接続する。  
コンデンサ１５は、半導体スイッチ１３と並列に接続する。コンデンサ１５の一端は、ダイオード１４のカソードに接続する。コンデンサ１５の他端は、半導体スイッチ１３のソースに接続する。
【００３０】
フォトカプラ受光素子１６のエミッタは、コンデンサ１５の他端に接続する。フォトカプラ受光素子１６のコレクタは、制御回路１７に接続する。制御回路１７は、半導体スイッチ１８のゲートに接続する。ダイオード１４のカソードは、トランス１９の一次側の一端に接続する。トランス１９の一次側の他端は、半導体スイッチ１８のドレインに接続する。半導体スイッチ１８のソースは、フォトカプラ受光素子１６のエミッタに接続する。
【００３１】
トランス１９の二次側の一端は、ダイオード２０のアノードに接続する。ダイオード２０のカソードは、コンデンサ２１の一端に接続する。トランス１９の二次側の他端は、コンデンサ２１の他端に接続する。  
コンデンサ２１の一端は、フォトカプラ発光素子２２のアノードに接続する。フォトカプラ発光素子２２のカソードは、オペアンプの出力端子に接続する。コンデンサ２１の他端は、直流可変電源２４の負極に接続する。
【００３２】
抵抗２５及び抵抗２６は、直列に接続される。抵抗２５及び抵抗２６は、コンデンサ２１と並列に接続する。抵抗２５の一端は、フォトカプラ発光素子２２のアノードに接続する。抵抗２５の他端は、抵抗２６の一端に接続する。抵抗２６の他端は、直流可変電源２４の負極に接続する。
【００３３】
直流可変電源２４の正極は、オペアンプ２３の非反転入力端子に接続する。オペアンプ２３の反転入力端子は、抵抗２５の他端及び抵抗２６の一端に接続する。抵抗２５の一端は、第１の出力部５１ａを介して電源線７および接点５１に接続され、抵抗２６の他端は、第２の出力部５３ａを介して電源線７および接点５３に接続される。直流可変電源２４は、調光装置５に接続する。
【００３４】
制御回路１７は、半導体スイッチ１８をオン／オフ制御する。たとえば、制御回路１７は、所定の電圧がトランス１９の二次側に生じるように、半導体スイッチ１８をオン／オフする。
【００３５】
直流可変電源２４は、調光装置５から調光信号を受信する。直流可変電源２４は、調光信号に基づいて、オペアンプ２３の非反転端子に電圧を印加する。即ち、直流可変電源２４は、直流電圧ＶＤＣが調光信号の光量を示すように、オペアンプ２３の非反転端子に電圧を印加する。たとえば、直流可変電源２４は、調光信号が示す光量が大きいほど、高い電圧をオペアンプ２３の非反転端子に印加する。たとえば、直流可変電源２４は、直流電圧ＶＤＣが４０Ｖから８０Ｖの間の階調で調光信号の光量を示すように、オペアンプ２３の非反転端子に電圧を印加する。
【００３６】
次に、ＤＣ／ＤＣコンバータ３について説明する。  
図３は、ＤＣ／ＤＣコンバータ３の構成例を示す回路図である。  
図３が示すように、ＤＣ／ＤＣコンバータ３は、抵抗３１、第１の制御部としての電圧制御部３２、コンデンサ３３、半導体スイッチ３４、ダイオード３５、ドライブ回路３６、インダクタ３７、コンデンサ３８、オペアンプ３９（第１のオペアンプ）、直流可変電源４０、及び、抵抗４１などを備える。
【００３７】
半導体スイッチ３４、ドライブ回路３６、インダクタ３７、コンデンサ３８、オペアンプ３９、直流可変電源４０及び抵抗４１は、電圧変換部（第３の変換部）を構成する。また、インダクタ３７及びコンデンサ３８などは、平滑回路を構成する。
【００３８】
半導体スイッチ３４は、たとえば、ｎＭＯＳ−ＦＥＴである。  
接点５２は、抵抗３１の一端に接続する。抵抗３１の他端は、電圧制御部３２に接続する。電圧制御部３２は、直流可変電源４０に接続する。抵抗３１の一端は、コンデンサ３３の一端と接続する。接点５４は、コンデンサ３３の他端と接続する。また、コンデンサ３３の他端は、接地する。
【００３９】
コンデンサ３３の一端は、半導体スイッチ３４のドレインに接続する。半導体スイッチ３４のゲートは、ドライブ回路３６に接続する。半導体スイッチ３４のソースは、ダイオード３５のカソードに接続する。即ち、半導体スイッチ３４は、接点５２及び接点５４と照明負荷４との間に直列に接続される。
【００４０】
ダイオード３５のアノードは、コンデンサ３３の他端に接続する。ダイオード３５のカソード及び半導体スイッチ３４のソースは、インダクタ３７の一端に接続する。コンデンサ３８は、ダイオード３５に並列に接続する。インダクタ３７の他端は、コンデンサ３８の一端に接続する。コンデンサ３８の他端は、ダイオード３５のアノードに接続する。
【００４１】
コンデンサ３８の他端は、抵抗４１の一端に接続する。抵抗４１の他端は、オペアンプ３９の反転入力端子に接続する。オペアンプ３９の非反転入力端子は、直流可変電源４０の正極に接続する。直流可変電源４０の負極は、接地する。オペアンプ３９の出力端子は、ドライブ回路３６に接続する。  
照明負荷４は、コンデンサ３８と並列に接続する。コンデンサ３８の一端は、照明負荷４のＬＥＤのアノードに接続する。照明負荷４のＬＥＤのカソードは、抵抗４１の他端及びオペアンプ３９の反転入力端子に接続する。
【００４２】
ドライブ回路３６は、オペアンプ３９の出力端子から出力される出力電圧（第２の制御電圧）に基づいて、半導体スイッチ３４をオン／オフ制御する。即ち、ドライブ回路３６は、所望の直流電流ＩＦが出力されるように、半導体スイッチ３４を制御する。たとえば、ドライブ回路３６は、オペアンプ３９の非反転端子に入力される電圧制御部３２の出力電圧と、反転端子に入力される出力電流検出信号電圧を比較して、第３の変換部の出力電流ＩＦが所望の電流となるように制御する。
【００４３】
また、ドライブ回路３６は、電圧制御部３２の出力電圧に対応する、半導体スイッチ３４オン時間テーブルを備えてもよい。この場合、ドライブ回路３６は、当該テーブルに従って、半導体スイッチ３４を制御する。たとえば、ドライブ回路３６は、電圧制御部３２の出力電圧が大きいほど、オンデューティを長くしてもよい。即ち、オペアンプ３９の出力電圧が大きいほど、直流電流ＩＦは増加する。
【００４４】
直流可変電源４０は、電圧制御部３２からの制御信号に従ってオペアンプ３９の非反転入力端子に電圧（第１の制御電圧）を印加する。  
電圧制御部３２は、接点５２と接点５４との間に生じる電圧に基づいて直流可変電源４０が出力する電圧を制御する。電圧制御部３２は、接点５２と接点５４との間に生じる電圧の電圧値を測定する（測定部）。たとえば、電圧制御部３２は、抵抗３１を用いて接点５２と接点５４との間に生じる電圧の電圧値を測定する。
【００４５】
電圧制御部３２は、測定された電圧値に基づいて、直流可変電源４０が出力する電圧を制御する。即ち、電圧制御部３２は、測定された電圧値が示す光量を照明負荷４が発光するように、直流可変電源４０が出力する電圧を制御する。  
たとえば、電圧制御部３２は、測定された電圧値から必要な電流ＩＦを決定する。電圧制御部３２は、必要な電流ＩＦに対応する直流可変電源４０の電圧を指示し、ドライブ回路３６が半導体スイッチ３４を制御する。
【００４６】
電圧制御部３２は、オペアンプ３９の非反転端子に入力される直流可変電源４０が出力する電圧を決定する。たとえば、電圧制御部３２は、測定された電圧値に対応する制御信号を示すテーブルを備えてもよい。この場合、電圧制御部３２は、例えばマイコンなどを用いて当該テーブルに従って制御信号を生成しても良い。これによって、接点５２と接点５４との間に生じる電圧（すなわちＶＤＣ）に対して任意の出力特性を有することができる。
【００４７】
次に、接点５１及び接点５３について説明する。  
図４は、接点５１及び接点５３の構成例を示す電球口金の断面図である。  
図４が示すように、接点５３は、金属などの導電性の素材から形成される。接点５３は、ソケット状に形成される。たとえば、接点５３は、円柱状に形成され、底に進むにつれて径が小さくなるように形成される。接点５３の内側には、らせん状の溝６１が形成される。溝６１は、溝６１に合致するように形成される接点５４を固定する。たとえば、接点５３は、接点５４が回転しながら接続されることで、接点５４を固定する。
【００４８】
接点５１は、金属などの導電性の素材から形成される。接点５１は、棒状に形成される。たとえば、接点５１は、先端がおり曲がってもよい。接点５１は、絶縁部材６２を介して接点５３に固定される。たとえば、接点５１を覆うように絶縁部材６２が形成され、絶縁部材６２と接点５３とが固定される。  
なお、接点５１及び接点５３の構造は、特定の構造に限定されるものではない。
【００４９】
次に、照明システム１００の動作例について説明する。  
まず、ＡＣ／ＤＣコンバータ２の動作例について説明する。  
ＡＣ／ＤＣコンバータ２は、交流電源１が出力する交流電圧をＡＣ／ＤＣコンバータ２０２などを通じて所定の電圧の直流電圧に変換する。  
制御回路１７は、半導体スイッチ１８をオン／オフ制御して、変換された直流電圧をトランス１９の一次側に印加する時間を制御する。制御回路１７は、トランス１９の二次側に所定の電圧が生じるように、半導体スイッチ１８をオン／オフ制御する。
【００５０】
制御回路１７のオン／オフ制御によって、トランス１９の二次側に所定の電圧が生じる。トランス１９の二次側に生じた電圧は、ダイオード２０及びコンデンサ２１によって整流及び平滑化される。  
フォトカプラ発光素子２２、オペアンプ２３、直流可変電源２４、抵抗２５及び抵抗２６は、調光信号に基づいて、直流電圧ＶＤＣを出力する。直流可変電源２４は、調光信号に基づいてオペアンプ２３の非反転入力端子に入力する電圧を出力する。
【００５１】
直流可変電源２４がオペアンプ２３の非反転入力端子に電圧を出力することで、オペアンプ２３は、反転入力端子に入力される検出電圧と比較して、この結果をフォトカプラ発光素子２２、フォトカプラ受光素子１６を介して制御回路１７に帰還することで直流電圧ＶＤＣを所望の電圧に一定制御する。そのため、直流電圧ＶＤＣは、調光信号に応じた電圧に制御される。
【００５２】
次に、ＤＣ／ＤＣコンバータ３の動作例について説明する。  
電圧制御部３２は、抵抗３１を用いて、接点５２と接点５４との間に生じる電圧の電圧値を測定する。電圧制御部３２は、測定された電圧値に基づいて制御信号を直流可変電源４０へ送信する。即ち、電圧制御部３２は、測定された電圧値に対応する光量を照明負荷４が発光するように、直流可変電源４０が出力する電圧を制御する。
【００５３】
直流可変電源４０は、制御信号に基づいてオペアンプ３９の非反転入力端子に電圧を出力する。直流可変電源４０がオペアンプ３９の非反転入力端子に電圧を出力することで、オペアンプ３９は反転入力端子に入力される出力電流の検出電圧と比較し、この結果をドライブ回路３６に帰還することで半導体スイッチ３４のオンデューティを制御し、ＤＣ／ＤＣコンバータの出力電流を所望の電流に一定制御することができる。  
インダクタ３７及びコンデンサ３８（平滑回路）は、コンバータの出力電圧を平滑化して、照明負荷４に流れる直流電流のリプルを抑制している。  
照明負荷４は、ＤＣ／ＤＣコンバータが出力する電流ＩＦに応じて、発光量が決定する。
【００５４】
以上のように構成された照明システム１００は、調光信号が示す光量に応じてＡＣ／ＤＣコンバータ２から直流電圧ＶＤＣを出力することができる。即ち、照明システム１００は、電圧値が調光信号の光量を示す直流電圧ＶＤＣを出力することができる。
【００５５】
また、照明システム１００は、ＡＣ／ＤＣコンバータ２から入力された電圧値に基づいて、ＤＣ／ＤＣコンバータ３から電流ＩＦを出力することができる。即ち、照明システム１００は、照明装置１０が調光信号の指示する光量を発光する電流ＩＦを出力し、調光制御することができる。同時に、照明システムは、直流電圧ＶＤＣを用いて、照明負荷４に必要な電力を供給することができる。
【００５６】
従って、照明システム１００は、ＡＣ／ＤＣコンバータ２と照明装置１０を接続する２線の電源線７を用いて、照明装置１０の調光と電力の供給とを行うことができる。  
上記実施形態によれば、照明システムは、白熱電球を調光可能なソケットにＬＥＤ電球などの照明負荷を有する照明装置が取り付けられた場合であっても入力操作に応じて照明負荷を調光することができ、白熱電球と同様な操作感覚で照明負荷を調光できる。
（第２実施形態）
次に、第２実施形態に係る照明システムについて説明する。  
第２実施形態に係る照明システム１００ａは、ＡＣ／ＤＣコンバータ２が調光装置５を備える点で第１実施形態に係る照明システム１００と異なる。従って、他の部位については同一の符号を付して詳細な説明を省略する。
【００５７】
図５は、第２実施形態に係る照明システム１００ａの構成例を示すブロック図である。  
図５が示すように、ＡＣ／ＤＣコンバータ２は、調光装置５を備える。たとえば、調光装置５は、ＡＣ／ＤＣコンバータ２の回路の基板の一部として形成される。  
以上のように構成された第２実施形態に係る照明システムは、ＡＣ／ＤＣコンバータの内部で調光信号を生成することができる。
（第３実施形態）
次に、第３実施形態に係る照明システム１００ｂについて説明する。  
第３実施形態に係る照明システム１００ｂは、出力調整装置６を備える点で第１実施形態に係る照明システム１００と異なる。従って、他の部位については同一の符号を付して詳細な説明を省略する。
【００５８】
図６は、第３実施形態に係る照明システム１００ｂの構成例を示すブロック図である。  
図６が示すように、照明システム１００ｂは、出力調整装置６をさらに備える。ここでは、ＤＣ／ＤＣコンバータ３に入力される電圧を直流電圧ＶＤＣ’とする。
【００５９】
出力調整装置６は、直流電圧ＶＤＣを調整する調整信号をＡＣ／ＤＣコンバータ２へ送信する。出力調整装置６は、所望の直流電圧ＶＤＣ’がＤＣ／ＤＣコンバータ３に印加されるように直流電圧ＶＤＣを調整する。
【００６０】
照明システム１００ｂの使用環境又は回路特性などにより直流電圧ＶＤＣと直流電圧ＶＤＣ’との間に差異が生じることがある。このような場合に、出力調整装置６は、所望の直流電圧ＶＤＣがＤＣ／ＤＣコンバータ３に印加されるように直流電圧ＶＤＣを補正する。
【００６１】
たとえば、ＡＣ／ＤＣコンバータ２と接点５１及び接点５３との距離が比較的長い場合、直流電圧ＶＤＣ’は電圧降下によって直流電圧ＶＤＣよりも低下する。このような場合に、出力調整装置６は、所望の直流電圧ＶＤＣ’がＤＣ／ＤＣコンバータ３に印加されるように、直流電圧ＶＤＣを補正する調整信号を出力する。即ち、調整信号は、ＡＣ／ＤＣコンバータ２と接点５１及び接点５３との距離など使用環境又は部品の個体差に伴う電圧のばらつきや変動に基づいて、直流電圧ＶＤＣを補正する。たとえば、出力調整装置６は、直流電圧ＶＤＣを増加させる調整信号を出力する。
【００６２】
たとえば、出力調整装置６は、手動で調整信号を設定してもよい。たとえば、出力調整装置６は、オペレータの操作の入力を受け付け、受け付けられた操作に従って調整信号を設定してもよい。
【００６３】
また、出力調整装置６は、自動で調整信号を設定してもよい。たとえば、出力調整装置６は、ＡＣ／ＤＣコンバータ２と接点５１及び接点５２と、接点５３及び接点５５との距離に応じて自動で調整信号を設定してもよい。この場合、出力調整装置６は、距離の入力を受け付けてもよいし、外部装置から距離を示す信号を受信してもよい。  
また、出力調整装置６は、外部装置からの信号に基づいて調整信号を設定してもよい。
【００６４】
次に、照明システム１００ｂに用いられるＡＣ／ＤＣコンバータ２ｂについて説明する。  
第３実施形態に係るＡＣ／ＤＣコンバータ２ｂは、抵抗２６が可変抵抗２７に代わる点で第１実施形態に係るＡＣ／ＤＣコンバータ２と異なる。従って、他の部位については同一の符号を付して詳細な説明を省略する。
【００６５】
図７は、ＡＣ／ＤＣコンバータ２ｂの構成例を示す回路図である。  
図７が示すように、ＡＣ／ＤＣコンバータ２ｂは、抵抗２６の代わりに可変抵抗２７を備える。
【００６６】
可変抵抗２７の一端は、抵抗２５の他端及びオペアンプ２３の反転入力端子に接続する。可変抵抗２７の他端は、直流可変電源２４の負極と接点５３との間に接続する。
【００６７】
可変抵抗２７は、出力調整装置６から調整信号を受信する。可変抵抗２７は、調整信号に従って自身の抵抗を制御する。
【００６８】
次に、ＡＣ／ＤＣコンバータ２ｂの動作例について説明する。  
出力調整装置６は、直流電圧ＶＤＣを補正する調整信号を可変抵抗２７に送信する。  
可変抵抗２７は、調整信号に従って自身の抵抗を制御する。可変抵抗２７の抵抗が制御されると、オペアンプ２３の非反転入力端子に印加される電圧が制御される。オペアンプ２３の非反転入力端子に印加される電圧が制御されると、これに基づいてオペアンプ２３のフィードバック制御によって、直流電圧ＶＤＣが補正される。  
なお、第３実施形態に係る照明システム１００ｂは、第２実施形態の特徴を備えてもよい。
【００６９】
以上のように構成された第３実施形態に係る照明システムは、回路特性などを補完するように直流電圧ＶＤＣを補正する調整信号をＡＣ／ＤＣコンバータへ入力する。ＡＣ／ＤＣコンバータは、調整信号に基づいて直流電圧ＶＤＣを補正する。その結果、照明システムは、調整信号に基づいて、直流電圧ＶＤＣを補正することができる。
【００７０】
そのため、照明システムは、所望の直流電圧ＶＤＣ‘がＤＣ／ＤＣコンバータに印加されるように、直流電圧ＶＤＣを出力することができる。よって、照明システムは、自身の回路特性などを補完し、適切な調光を実現することができる。
（第４実施形態）
次に、第４実施形態に係る照明システム１００ｃについて説明する。  
第４実施形態に係る照明システム１００ｃは、照明装置１０ｃが整流回路７１を備える点で第１実施形態に係る照明システム１００と異なる。従って、他の部位については同一の符号を付して詳細な説明を省略する。
【００７１】
図８は、第４実施形態に係る照明システム１００ｃの構成例を示すブロック図である。  
図８が示すように、照明装置１０ｃは、整流回路７１をさらに備える。  
整流回路７１は、入力端子に接点５２及び接点５４を接続する。整流回路７１は、接点５２と接点５４との間に生じる電圧を整流し、ＤＣ／ＤＣコンバータ３へ出力する。即ち、整流回路７１は、接点５２、５４とＤＣ／ＤＣコンバータ３の入力部間に配置され、ＤＣ／ＤＣコンバータ３に適正な極性を与えるように接続される。  
たとえば、ＡＣ／ＤＣコンバータ２の接点５１、５３と、照明装置１０の接点５２、５４の相互の接続が逆接続となっても整流回路７１の整流作用によって、ＤＣ／ＤＣコンバータ３は適正に動作することができる。  
なお、第４実施形態に係る照明システム１００ｃは、第２実施形態又は第３実施形態に係る照明システムの特徴を備えてもよい。
【００７２】
以上のように構成された第４実施形態に係る照明システムは、照明装置の接点に逆向きに直流電圧が生じてもＤＣ／ＤＣコンバータに所定の方向に電圧を印加することができる。これにより、照明システムは、照明装置の接点に逆向きに直流電圧が生じても照明装置のＤＣ／ＤＣコンバータを動作させることができる。したがって、照明システムは、配線ミスなどによって、照明装置の接点に逆向きの直流電圧ＶＤＣが印加された場合であっても、照明装置を動作させることができる。
【００７３】
以上説明した実施例によれば、照明システムは、ＡＣ／ＤＣコンバータから調光信号に基づく電圧値の電圧を照明装置へ出力することができる。また、照明装置は、入力する電圧の電圧値に基づく光量を照明負荷４が出力するように、照明負荷に出力する電圧を設定することができる。そのため、照明システムは、発熱電球に対する調光と同様の操作を受け付けることで、照明装置を調光することができる。
【００７４】
また、照明システムは、ＡＣ／ＤＣコンバータから照明装置へ２線で電力供給と調光とを行うことができる。  
その結果、照明システムは、例えば２線の電源線７等の既設の配線設備を用いて照明装置を調光することができる。
【００７５】
また、本文では発光光源としてＬＥＤと記載したが、ＯＬＥＤ（有機ＥＬ  ；Ｏｒｇａｎｉｃ  Ｌｉｇｈｔ  Ｅｍｉｔｔｉｎｇ  Ｄｉｏｄｅ）などの固体発光デバイスを含む。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…交流電源、２、２ａ及び２ｂ…ＡＣ／ＤＣコンバータ、３…ＤＣ／ＤＣコンバータ、４…照明負荷、５…調光装置、６…出力調整装置、１０及び１０ｃ…照明装置、１１及び７１…整流回路、１２及び３７…インダクタ、１３、１８及び３４…半導体スイッチ、１４、２０及び３５…ダイオード、１５、２１、３３及び３８…コンデンサ、１６…フォトカプラ受光素子、１７…制御回路、１９…トランス、２２…フォトカプラ発光素子、２３及び３９…オペアンプ、２４及び４０…直流可変電源、２５、２６、３１及び４１…抵抗、２７…可変抵抗、３２…第１の制御部としての電圧制御部、３６…ドライブ回路、５１乃至５４…接点、６１…溝、６２…絶縁部材、１００、１００ａ、１００ｂ及び１００ｃ…照明システム。
【図１】
0006613751.tif 000002
【図２】
0006613751.tif 000003
【図３】
0006613751.tif 000004
【図４】
0006613751.tif 000005
【図５】
0006613751.tif 000006
【図６】
0006613751.tif 000007
【図７】
0006613751.tif 000008
【図８】
0006613751.tif 000009